(57)【要約】【課題】ネジ類やくぎ、種子、小さな収集物などを区分けし、工具箱や引き出し、ケースなどで管理保管できる連続紙箱が簡単に作れる道具を提供する。【解決手段】形状が四角柱、あるいは、中空の四角柱であり（１）、単体もしくは数個を並べるなりして、細長い紙の上に置き、上面に合わせて巻き、正面から両側面に折り曲げ、上面からはみ出た部分を折り上げ、巻きながら１８０度回転し、以下正面から両側面に、両側面から上面にと折り、巻きながら１８０度回転するといった作業を、紙が短くなるまで続ける。紙が短くなったら、本発明品の裏面に合わせて紙を切り、１８０度回転して、はみ出た部分を折り上げ、尚且つ、ふたたび開かないように中央から谷折りし、脱がすように外していくと、連続紙箱ができる。また、表に磁石（３）、裏に磁性材（４）（磁性ステンレス、鉄、ニッケルなど）がそれぞれ１面以上あり、くっつけて使用すると紙が巻きやすく、より作業がやりやすくなる。【選択図】図１
2014141054.tif 000002
【特許請求の範囲】
【請求項１】
下記の要件を備えたことを特徴とする連続紙箱作成用具を提供する。
（イ）形状が四角柱であること、あるいは、中空の四角柱であること。
（ロ）数個を並べるなり重ねるなりして包むことで、違ったサイズの連続紙箱を作ることができること。
【請求項２】
下記の要件を備えたことを特徴とする連続紙箱作成用具を提供する。
（イ）形状が四角柱であること、あるいは、中空の四角柱であること。
（ロ）数個をくっつけてサイズを変える方法として、表に磁石（３）、裏に磁性材（４）（磁性ステンレス、鉄、ニッケルなど）がそれぞれ１面以上あることで、包む作業がより簡易になること。
【発明の詳細な説明】
【技術分野】
【０００１】    本発明品は、主に紙を折って連なった箱を作るときに使用するものである。連続紙箱は、一般的に豆入れ箱と呼ばれる紙の箱が連なったもので、自分で手軽に小さな部品や種子、小さな収集物などを分類でき、出し入れしやすいことと、よりわかりやすく管理ができることを目的としている。
【背景技術】
【０００２】    工具箱等にネジや釘などを収納すると、一箇所に全部をまとめてしまっていて、いざ使うとき、埃も溜まって使いづらいことと、必要分あるかわからないため、ネジや釘などを購入することも考えられる。仕分けをするため、仕切りの移動できる箱を購入するか考えると、値段的なことや仕分け方法の面で、本職でない人は購入しづらいと考えられる。【０００３】    また、小さなビニール袋はたくさんの仕分けができるので、表示して収納することも考えられるが、仕分けした後、袋に記入するのが面倒と思う人も考えられる。またビニール袋がたくさんになるとまた探す手間が掛かるようになることや、それ自体が見苦しいと感じる人も考えられる。【０００４】    数多く分類したいことと、分類位置を固定することでどこにあるかがすぐわかること、多少の移動にも影響を受けないこと、実際の使用において、比較検討しやすく、在庫数量がわかりやすいこととして、紙を折り曲げて作る連続した紙箱を考案した。【０００５】    しかしこの連続した紙箱を作るに、入れようとする場所の縦、横、高さの寸法を測り、一マスの寸法を決め、紙に折る位置を表示し、定規などを駆使して折って行くことになり、時間が掛かるし面倒であるため、一般に馴染まないだろうと考えた。【０００６】    本発明品は、連続した紙箱を作るとき、細長く切った紙を包み、巻き終わった後、はずしていくと、連続した紙箱ができていくというものである。したがって、一マスの寸法に合ったサイズに組み合わせた本発明品で作れば、簡単に作ることができる。
【先行技術文献】
【特許文献】
【０００７】
【特許文献１】特開２００９−１６６８５９
【発明の概要】
【発明が解決しようとする課題】
【０００８】    特開２００９−１６６８５９で紹介されているような構造の製品は、可変仕切り付き収納箱などに特定されている。本発明品は新しい収納箱を提案するのではなく、今所有している収納箱や工具箱、引き出しその他にちょっとした工夫をすることで便利になる方法を提案するものである。本発明品は紙を折る用具として使うもので、材料に画用紙や厚紙、カレンダーの裏などの白くて多少厚い紙を使用するのが望ましい。【０００９】    本発明品で作った連続した紙箱は切れたり古くなったりしても、テープで修理するか交換も簡単にできる。また、できた紙箱同士を両面テープで接着し、ボードやダンボール、プラスチックダンボールなどに貼り付けると、重ねて活用することもできる。【００１０】    本発明品は、例えば、縦横を４ｃｍに作り、高さ２ｃｍを３個と高さ３ｃｍを２個の計５個を組み合わせることで１０通り以上の組み合わせができ、連続紙箱のサイズを様々に変えることができる。また、表に磁石、裏に磁性材（磁性ステンレス、鉄、ニッケルなど）があれば、くっつくことで紙を巻きやすくするものも考案した。
【課題を解決するための手段】
【００１１】    形状が四角柱、あるいは、中空の四角柱であり、単体もしくは数個を並べるなり重ねるなりして細長い紙を、左右の余白を等しく取り、上面に合わせて巻き、正面から両側面に折り曲げ、上面からはみ出た部分を上に折り上げ、巻きながら１８０度回転し、正面から両側面に折り曲げ、上面からはみ出た部分を折り上げるといった作業を続け、紙が短くなるまで続ける。【００１２】    紙が短くなったら、本発明品の裏面に合わせて紙を切り、１８０度回転して、上面からはみ出た部分を折り上げ、尚且つ、ふたたび開かないように中央から谷折りし、脱がすように外していくと、連続紙箱ができる。【００１３】    また、表に磁石（３）、裏に磁性材（４）（磁性ステンレス、鉄、ニッケルなど）がそれぞれ１面以上あるものは、くっつけて使用すると紙が巻きやすく、より作業がやりやすくなる。
【発明の効果】
【００１４】    コピー紙や画用紙、厚紙、カレンダーなど様々な紙を使うことができる。また、小さいものをわかりやすく分類することが目的なので、業種を選ばない。連続紙箱の個々の箱の高さを上げ、幅を狭くすれば、カード等を立てて管理することもできる。紙の使い方の新しい基本方法と成りえるものである。
【図面の簡単な説明】
【００１５】
【図１】本発明品の一方から見た斜視図である。図では、磁石（３）のある面を示している。
【図２】本発明品の他方から見た斜視図である。図１と同じく、磁性材（４）のある面を示している。
【図３】本発明品を使用しての連続紙箱の作り方の手順である。
【発明を実施するための形態】
【００１６】次に本発明品の構造を図１及び図２で示す。本発明品は紙に包まれることから、単純な四角柱となる。ただし、必要に応じてサイズを変更する必要があるため、複数の本発明品を並べるか重ねることで問題の解決に到達することができる。実施の作業方法は図３を参照して説明します。図３は連続紙箱を作るための折り方の手順である。
【実施例】
【００１７】    図１は本発明品の一方から見た斜視図を示す。本発明品は中空の四角柱であり、磁石（３）が取り付けている。中空であることは重量を軽くするだけなので、特に中空でなければならないことはない。また、図面では磁石を取り付けているが、連続紙箱を作成するに置いて、必ず必要とは言えない。【００１８】    図２は本発明品を他方から見た斜視図を示す。磁性材（４）が取り付けている。ただし、上記と同様に必ず必要とは言えないが、磁石の取り付けてあるものと対になる。【００１９】    図３は、本発明品を用いて、連続紙箱を作る手順を示す。紙の幅を、本発明品の正面の縦幅と横幅の合計以下に設定して切っておきます。図３ａはこの紙に本発明品を載せた状態を示す。左右の余白を等しく取り、紙を本発明品の上面に合わせて巻きます。【００２０】    図３ｂは紙で本発明品を包んだ状態を示す。正面から両側面に紙を折り曲げます。折り目はできるだけ丁寧にすると最後はきれいにできます。【００２１】    図３ｃは正面から両側面に紙を折り曲げた状態を示す。上面のはみ出た部分を上に折り曲げます。通常の紙で包むときとは逆に折ることになります。【００２２】    図３ｄは上面のはみ出た部分を上に折り曲げた状態を示す。９０度回転しながら巻いていきます。【００２３】    図３ｅは本発明品ごと９０度回転した状態を示す。更に９０度回転しながら巻いてい    きます。【００２４】    図３ｆは更に９０度回転した状態を示す。正面から両側面に折り曲げます。【００２５】    図３ｇは正面から両側面に折り曲げた状態を示す。上面のはみ出た部分を折り上げま    す。【００２６】    図３ｈは上面に折り上げた状態を示す。継続して箱を作る場合は図３ｅにもどり、作    業を続けます。【００２７】    図３ｉは紙が少なくなった状態を示す。裏面に合わせて紙を切り、１８０度回転しま    す。【００２８】    図３ｊは紙を切り、１８０度回転した状態を示す。上面のはみ出た部分を上に折り曲    げます。【００２９】    図３ｋは上面のはみ出た部分を上に折り曲げた状態を示す。使用するとき開かないよ    うに、中央から谷折りして閉じます。【００３０】    図３１は中央から谷折りした状態を示す。表面側と裏面側に引きながら、つながって    いる部分をしっかり折り曲げます。【００３１】    図３ｍは１個目ができた状態を示す。上面側と底面側に引きながら、つながっている    部分をしっかり折り曲げます。【００３２】    図３ｎは２個目ができた状態を示す。箱作りが最終の場合は、開かないように谷折り    して閉じます。【００３３】    図３ｏは最終まで到達した状態を示す。本発明品を引き抜きます。【００３４】    図３ｐは完成した状態を示す。以後、セロテープなどで補強すると、いろいろ使うこ    とができます。
【産業上の利用可能性】
【００３５】    大量の生産には向かないが、数個から数十個の小さな加工品なら、部署間の移動や業者間の移動などに利用できる。特に、業者間では、部品同士がぶつかると打痕がつくため、一個ずつエアパッキンなどで包むという工程をする必要がある。連続紙箱を利用すれば、梱包する手間と、梱包から出す手間も軽減することができ、効率を上げることができる。【００３６】    本発明品をラップで包み、ラップを包んだ紙で連続紙箱を作り、つきたての餅を入れていけば、切らずに、切り餅を作ることもできる。
【符号の説明】
【００３７】      １  本発明品本体
２  躯体
３  磁石
４  磁性材（磁性ステンレス、ニッケル、鉄など）
尚、説明の便宜上、本発明品を置いたとき、自分に向いている面を正面、上を向い      ている面を上面、左右を向いている面を側面、下を底面、正面の反対を裏面と表記      します。本発明品を９０度回転するごとに、底面が正面に、上面が裏面に移動して      いきますが、回転した時点で自分を向いている面を正面、上を向いている面を上面      として表記します。
図３ａ  紙に本発明品を載せた状態。紙を本発明品の上面にあわせて巻きます。
図３ｂ  紙で本発明品を包んだ状態。正面から両側面へ紙を折り曲げます。
図３ｃ  両側面に折り曲げた状態。上面からはみ出た部分を上に折り上げます。
図３ｄ  上面からはみ出た部分を折り曲げた状態。巻きながら９０度回転します。
図３ｅ  本発明品ごと９０度回転した状態。更に巻きながら９０度回転します。
図３ｆ  更に９０度回転した状態。正面から両側面に折り曲げます。
図３ｇ  側面に折り曲げた状態。上面からはみ出た部分を折り上げます。
図３ｈ  上面に折り上げた状態。継続して箱を作る場合はｅにもどり、作業を続け                  ます。
図３ｉ  紙が少なくなった状態。裏面に合わせて紙を切り、１８０度回転します。
図３ｊ  １８０度回転した状態。上面からはみ出た部分を折り上げます。
図３ｋ  上面へ折り上げた状態。使用するとき開かないように、中央から谷折りを                  して閉じます。
図３ｌ  上面の中央で谷折りした状態。表面側と裏面側に引きながら、つながって                  いる部分をしっかり折り曲げます。
図３ｍ  １個目の箱ができた状態。上面と底面で引きながら、つながっている部分                  をしっかり折り曲げます。
図３ｎ  ２個目ができた状態。箱作りが最終の場合は、開かないように谷折りして                  閉じます。
図３ｏ  最終まで到達した状態。本発明品を引き抜きます。
図３ｐ  完成した状態。
【図１】
2014141054.tif 000003
【図２】
2014141054.tif 000004
【図３】
2014141054.tif 000005